(57)【要約】      （修正有）【課題】室内又は屋外で使用される各種電気機器の外部接続に使用される電気コードに装飾具を組み付けた装飾電気コードを提供する。【解決手段】電気コードの外周に装飾具を組み付ける。装飾具として毛皮材、レース布材、紐材、線材であり、電気コードの外周へ巻き付け、縫い付け、編み込み、若しくは接着により取り付けて組み付けされている。又は、連結材の長さ方向に玉状又は塊状に加工された金属材、プラスティック材、木材、ゴム材、ガラス材、陶磁器材、宝石、ビーズ細工材から選択される少なくとも一種又は二種以上を組み合わせて連結して成り、同連結材を電気コードの長手方向に沿わせその外周へ取り付けて組み付けられている。【選択図】図１
2012020416.tif 000002
【特許請求の範囲】
【請求項１】
電気機器の外部接続に使用される電気コードにおいて、
前記電気コードの外周に装飾具を組み付けたことを特徴とする、装飾電気コード。
【請求項２】
装飾具は、毛皮材、レース布材、紐材、線材であり、電気コードの外周へ巻き付け、縫い付け、編み込み、若しくは接着により取り付けて組み付けていることを特徴とする、請求項１に記載した装飾具。
【請求項３】
装飾具は、連結材の長さ方向に、玉状又は塊状に加工された金属材、プラスティック材、木材、ゴム材、ガラス材、陶磁器材、宝石、ビーズ細工材から選択される少なくとも一種又は二種以上を組み合わせて連結して成り、同連結材を電気コードの長手方向に沿わせその外周へ取り付けて組み付けていることを特徴とする、請求項１に記載した装飾電気コード。
【請求項４】
装飾具は、少なくとも１つ以上の挿入孔を有する金属製のリング部材であり、電気コードを各挿入孔内へ単純に通し、又は波状に、若しくは螺旋状に通して組み付けていることを特徴とする、請求項１に記載した装飾電気コード。
【請求項５】
装飾具として玉状又は塊状に加工された金属材、プラスティック材、木材、ゴム材、ガラス材、陶磁器材、宝石は電気コードを通す孔を形成して成り、各装飾具の孔へ電気コードを通して成ることを特徴とする、請求項１に記載した装飾電気コード。
【発明の詳細な説明】
【技術分野】
【０００１】
この発明は、室内又は屋外で使用される各種電気機器の外部接続に使用される電気コードに装飾具を組み付けた装飾電気コードに関する。
【背景技術】
【０００２】
従来から、家庭用電気製品、携帯用電気製品など各種電気機器の外部接続に使用されている電源コード、ＵＳＢコード、延長コード、イヤホンコードなどの電気コードは、通例単なる電線コードとしての外観を呈し、絶縁被覆材が黒色系統に統一されている状況である。近年、ポータブルオーディオ機器等のイヤホンコードには白色など意匠的に配慮された色の電気コードも広く実用に供されている。
また、下記の特許文献１には、手首装着型の通信機器に使用されるコードを、多数の駒を連結してチェーン状に構成して機器全体のファッション性を阻害しない装飾コードが開示されている。
【先行技術文献】
【特許文献】
【０００３】
【特許文献１】特開２００４−１４１３６４号広報
【発明の概要】
【発明が解決しようとする課題】
【０００４】
従来の電気コードは、単なる電線コードそのものの外観意匠である事に変わりなく、当別な装飾性を備えていない。したがって、しゃれた意匠の居間や応接室で使用される電気コードがだらしなく露出して室内の景観やインテリア性を損なう要因となり、特に美術館やブティック、美容室、カフェなどインテリア性が重要視される施設や店においては、重大な問題点となっていた。そのため、電気コードのたるんだ部分を巻いて収納するボックスなどが開発され実用に供されているが、電気コードの全てを収納するわけではないから、露出した電線部分が景観を損ねることに変わりはない。また、収納ボックスは電線コードを巻いて収納できる程度に大きくなければならず、目立つ存在となり、やはり、景観を損なってしまう。
【０００５】
また、最近では、電気コードをなるべく付加させないように無線で電波を飛ばすことが積極的に行われている。しかし、電気機器の主装置や充電器には電気を供給する電源用の電気コードが不可欠である以上、上記問題点は依然として解決されていない。
【０００６】
ポータブルオーディオ機器や通信機器等に使用される電気コードについては、特許文献１においてむき出しの電線コードを露出させず駒をチェーン状に連結して装飾性を持たせていることは認められる。しかし、その目的は通信機器全体のファンション性を阻害しないことである。つまり、通信機器を身につける利用者のファッション性を考慮に入れていない構成といえる。したがって、しゃれた服装に合わせにくく、使用者のファッション性を阻害する要因となることに変わりがない。
上述したように、インテリア性とファッション性に優れた良好な電気コード製品が未だ見当たらない。
【０００７】
よって、本発明の目的は、各種電気機器の外部接続に使用される電気コードに装飾性を持たせて、装飾具としての機能も併せ持ち、インテリア性やファッション性に優れた装飾電気コードを提供することにある。
【課題を解決するための手段】
【０００８】
上記課題を解決するための手段として、請求項１記載の発明に係る装飾電気コードは、
電気機器の外部接続に使用される電気コードにおいて、
前記電気コードの外周に装飾具を組み付けたことを特徴とする。
【０００９】
請求項２記載の発明は、請求項１に記載した発明に係る装飾電気コードにおいて、
装飾具は、毛皮材、レース布材、紐材、線材であり、電気コードの外周へ巻き付け、縫い付け、編み込み、若しくは接着により取り付けて組み付けていることを特徴とする。
【００１０】
請求項３記載の発明は、請求項１に記載した装飾電気コードにおいて、
装飾具は、連結材の長さ方向に、玉状又は塊状に加工された金属材、プラスティック材、木材、ゴム材、ガラス材、陶磁器材、宝石、ビーズ細工材から選択される少なくとも一種又は二種以上を組み合わせて連結して成り、同連結材を電気コードの長手方向に沿わせその外周へ取り付けて組み付けていることを特徴とする。
【００１１】
請求項４記載の発明は、請求項１に記載した装飾電気コードにおいて、
装飾具は、少なくとも１つ以上の挿入孔を有する金属製のリング部材であり、電気コードを各挿入孔内へ単純に通し、又は波状に、若しくは螺旋状に通して組み付けていることを特徴とする。
【００１２】
請求項５記載の発明は、請求項１に記載した装飾電気コードにおいて、
装飾具として玉状又は塊状に加工された金属材、プラスティック材、木材、ゴム材、ガラス材、陶磁器材、宝石は電気コードを通す孔を形成して成り、各装飾具の孔へ電気コードを通して成ることを特徴とする。
【発明の効果】
【００１３】
請求項１〜５に記載した発明に係る装飾電気コードは、電気コードの外周に各種装飾具を選択的に組み付けるという簡易な方法で、電気コードがアクセサリーの如き装飾性を持った外観を呈するので、装飾具としての機能を併せ持ち、高いインテリア性やファッション性を発揮することができる。
特に、しゃれた意匠の室内に使用される電気機器の電気コードに使用すると、美観を損なわないだけでなく、インテリア性を向上できるし、従前のようにたるんだ電気コードを隠すための備品や面倒な処理が一切無くなる。また、ポータブルオーディオ機器等のイヤホンコードに使用すると、服装とのバランスを考慮したトータルコーディネートが可能となり大変お洒落である。
更に、本発明は安価に多様な意匠の装飾電気コードを提供できるので、誰でも容易に意匠性の高いファッションやインテリアを楽しむことができる。
【図面の簡単な説明】
【００１４】
【図１】本発明に係る装飾電気コードの実施例１を示す斜視図である。
【図２】Ａ〜Ｃは、図１の異なる実施形態を示す図である。
【図３】Ａ、Ｂは、図１の更なる実施形態を示す図である。
【図４】本発明に係る装飾電気コードの実施例２を示す斜視図である。
【図５】Ａは、図４の異なる実施形態を示す図である。Ｂは、リング部材を電気コードへ挿入する要領を示す参考図である。
【発明を実施するための形態】
【００１５】
本発明は、室内又は屋外用の各種電気機器の外部接続に使用されている電気コードＵＳＢコード、延長コード、イヤホンコードなどの電気コード１０を対象としており、前記電気コード１０の外周に各種装飾具２を組み付ける構成とした。
【実施例１】
【００１６】
以下、本発明に係る装飾電気コードの実施例を図面に基づいて説明する。
図１は、電気機器の外部接続に使用される電気コード１０の外周に装飾具２を組み付けた装飾電気コード１を示した。この装飾具２は、布又は紐等で成る連結材２１の長さ方向に、玉状に加工したプラスティック材２０を一連に連結した構成とされている。この連結材２１を電気コード１０に沿って這わせ、針金や糸などの装着材３により同電気コード１０へ巻き付け又は縫い付けて組み付ける。また、接着剤等により電気コード１０へ取り付けることもできる。
【００１７】
装飾具２は図示例の限りではなく、プラスティック材２０の代わりに、玉状又は塊状に加工された金属材、木材、ゴム材、ガラス材、陶磁器材、宝石等から選択される一種又は二種以上を組み合わせて連結材２１へ連結して実施できる。前記塊状とは、例えば矩形状、柱状、花柄状、ハート状などであり、ファッション性とインテリア性を適切に発揮できる物を選択的に使用できる。
【００１８】
図２Ａに示す装飾具２は、ビーズ細工を施したビーズ線２２…を布又は紐等の連結材２１の長さ方向に一連に暖簾の如くに連結し（又は縫い付け）て成り、電気コード１０の外周へ糸３（装着材３とも云う。）により編み込んで組み付けている。図２Ｂは、長さ方向に連続したヒダを有するレース布材２３で成る装飾具２を示し、図２Ｃは、ファーと呼ばれる毛皮材２４で成る装飾具２を示した。上記何れの装飾具２も同様に糸又は接着剤等の装着材３により電気コード１０の外周へ組み付けられる。
更に、図３Ａには、幅狭の革紐２５を電気コード１０の外周に巻き付けて編み込んだ装飾電気コード１を示している。図示のように、単に電気コード１０の外周へ巻き付けるのではなく、外周面に沿って螺旋状の編み込み部が形成されるように編み込むと意匠性がかなり高い。
また、図３Ｂに示すように、色取り取りの複数本の線材を一束として紐２６を形成し、同紐２６を２束用意し、紐２６、２６を交互に電気コード１０へ編み込むことで、意匠性の高い装飾電気コード１として実施することもなされる。
【実施例２】
【００１９】
本発明は、上記実施例１に示したように装飾具２を電気コード１０へ巻き付ける又は縫い付けるタイプの限りではなく、装飾具２をリング部材として実施した装飾電気コード１’も好適に実施される。以下、図４、図５にはリング部材４、５で成る装飾具２を示した。
先ず、図４に示す装飾具２は、複数の挿入孔４０ａを有する金属製のリング部材４であり、電気コード１を各挿入孔４０ａ内へ波状に挿入して構成されている。具体的には、既存の電気コード１を適切な部分で切断し、切断された両コード１０、１０の端部を各挿入孔４０ａ…内へ上下互い違いの波状に挿入した後、前記切断部同士を接続する後処理を行って組み付ける。この装飾具２は金色や銀色などとしてゴージャスな雰囲気を出すことが好適に実施される。図示例では電気コード１０を上下互い違いの波状にリング部材４の挿入孔４０ａ内へ挿入した例を示したが、この限りではなく、螺旋状に挿入する構成としても良いし、単純に電気コード１０へ通す構成としても良い。
また、図５Ａに示した装飾具２は、所謂メタルスプリング材と称されるもので、複数の金属製リング同士を、知恵の輪如くに鎖状に連結して形成したリング部材５である。このリング部材５のリング同士の繋ぎ部に形成できる１つの挿入孔５０ａから電気コード１０へ差し込んで外周面へ組み付けて装飾電気コード１’を構成する。
【実施例３】
【００２０】
また、図示することは省略したが、装飾具として、玉状及び塊状に加工された金属材、木材、プラスティック材、ゴム材、ガラス材、陶磁器材、宝石は電気コードを通す孔を形成して成り、各装飾具の孔を電気コード１０へ複数通した構成の装飾電気コードとしても良い。これは、電気コードを線材とし、装飾具を所謂ビーズ材とし、ビーズ細工を形成する要領で、順次、前記装飾具を電気コードへ通して構成している。したがって、材料としては電気コード１を通す孔が形成できるものであれば良く、数種類の材料を美観良く通して実施可能である。
【００２１】
以上に本発明を図示した実施例に基づいて説明したが、本発明は、上記実施例の構成に限定されない。その目的と要旨を逸脱しない範囲において、当業者が必要に応じて行う設計変更、応用のバリエーションの範囲を含むことを念のため言及する。
【符号の説明】
【００２２】
１、１’      装飾電気コード
２            装飾具
３            装着材
【図１】
2012020416.tif 000003
【図２】
2012020416.tif 000004
【図３】
2012020416.tif 000005
【図４】
2012020416.tif 000006
【図５】
2012020416.tif 000007